(57)【要約】【課題】製造コストや袋体への負荷を抑えるとともに、排水のための手間を掛けずに、速やかな排水を可能とするフレキシブルコンテナバッグを提供すること。【解決手段】フレコン１は、液体Ｗと固体とを混在した状態で収容可能であり、側面１２に開口部１２１が形成された袋体１０と、袋体１０の開口部１２１を塞ぎ、透水性を有するフィルタ３０と、を備え、開口部１２１は、袋体１０の外周に沿って、所定方向に延びる形状に形成されている。【選択図】図１
2020111384.tif 000002
【特許請求の範囲】
【請求項１】
液体と固体とを混在した状態で収容可能であり、側面に開口部が形成された袋体と、
前記袋体の前記開口部を塞ぎ、透水性を有するフィルタと、を備え、
前記開口部は、前記袋体の外周に沿って、所定方向に延びる形状に形成されていることを特徴とするフレキシブルコンテナバッグ。
【請求項２】
前記フィルタは、
引張強さが、１００Ｎ／ｃｍ２以上１５０Ｎ／ｃｍ２以下であり、
伸び率が、５０％以上７０％以下であり、
透水係数が、０．０１ｃｍ／ｓｅｃ以上０．０５ｃｍ／ｓｅｃ以下であることを特徴とする請求項１に記載のフレキシブルコンテナバッグ。
【発明の詳細な説明】
【技術分野】
【０００１】
本発明は、フレキシブルコンテナバッグに関する。
【背景技術】
【０００２】
従来、フレキシブルコンテナバッグは、液体である水と、土砂や粉塵等の固体とが混在した汚染水等が収容され、液体のみを外部に染み出させるために用いられていた。
ところが、自然に液体が、フレキシブルコンテナバッグの外側に染み出てくるまでには、長時間待たなければならなかった。
【０００３】
このため、水分を含む土を入れ脱水し袋詰する、透水性を有する素材で形成した袋体に開閉切替自在な排水口部を設けた脱水袋体が提案されている（特許文献１）。
【先行技術文献】
【特許文献】
【０００４】
【特許文献１】特開２０１３−１７９６０号公報
【発明の概要】
【発明が解決しようとする課題】
【０００５】
しかしながら、特許文献１の脱水袋体は、袋体に開閉切替自在な排水口部を取り付ける必要があり、製造コストが嵩むとともに、袋体の排水口部を取り付けた部分に負荷が掛かり、袋体が破損する虞があり、また、排水するためには排水口部を開く手間が発生していた。
【０００６】
本発明は、製造コストや袋体への負荷を抑えるとともに、排水のための手間を掛けずに、速やかな排水を可能とするフレキシブルコンテナバッグを提供することを目的とする。
【課題を解決するための手段】
【０００７】
（１）  液体と固体とを混在した状態で収容可能であり、側面に開口部が形成された袋体と、
前記袋体の前記開口部を塞ぎ、透水性を有するフィルタと、を備え、
前記開口部は、前記袋体の外周に沿って、所定方向に延びる形状に形成されていることを特徴とするフレキシブルコンテナバッグ。
【０００８】
（１）の構成によれば、フレキシブルコンテナバッグは、袋体と、フィルタと、を備える。
袋体は、液体と固体とを混在した状態で収容可能であり、側面に開口部が形成されている。
フィルタは、袋体の開口部を塞ぎ、透水性を有する。
そして、開口部は、袋体の外周に沿って、所定方向に延びる形状に形成されている。
【０００９】
これにより、袋体に収容された液体と固体のうち、液体は開口部を塞ぐフィルタを介して外部に排出される。
また、例えば、開口部が垂直方向に延びる場合、混在した状態で袋体内に入れられた液体と固体とは、順次、液体が外部に排出され、固体が袋体内に貯留される。
また、混在した状態で袋体内に入れられた液体と固体とは、固体が沈殿し、液体が固体の上方に溜まる。例えば、開口部が水平方向に延びる場合、開口部が形成された位置の下端まで固体が貯留され、この固体の上方に溜まった液体が開口部を塞ぐフィルタを介して外部に排出される。
このように、本発明の構成によれば、袋体に開口部を形成し、この開口部をフィルタで塞ぐだけで、液体と固体とを混在した状態で袋体に収容された液体を、手間を掛けずに排出できる。
したがって、製造コストや袋体への負荷を抑えるとともに、排水のための手間を掛けずに、速やかな排水を可能とするフレキシブルコンテナバッグを提供できる。
【００１０】
（２）  前記フィルタは、
引張強さが、１００Ｎ／ｃｍ２以上１５０Ｎ／ｃｍ２以下であり、
伸び率が、５０％以上７０％以下であり、
透水係数が、０．０１ｃｍ／ｓｅｃ以上０．０５ｃｍ／ｓｅｃ以下であることを特徴とする（１）に記載のフレキシブルコンテナバッグ。
【００１１】
（２）の構成によれば、フィルタの引張強さと伸び率とを、比較的大きくすることで、袋体に収容された固体に突起があったり、加重が比較的大きい場合でも、フィルタが破断することを防止することが可能となる。
【発明の効果】
【００１２】
本発明によれば、製造コストや袋体への負荷を抑えるとともに、排水のための手間を掛けずに、速やかな排水を可能とするフレキシブルコンテナバッグを提供することができる。
【図面の簡単な説明】
【００１３】
【図１】本発明の一実施形態に係るフレキシブルコンテナバッグを正面上方から視た図である。
【図２】本発明の一実施形態の変形例に係るフレキシブルコンテナバッグを正面上方から視た図である。
【図３】本発明の一実施形態に係るフレキシブルコンテナバッグの使用状態を示す断面図である。
【図４】本発明の一実施形態の変形例に係るフレキシブルコンテナバッグの使用状態を示す断面図である。
【発明を実施するための形態】
【００１４】
本発明の実施形態に係るフレキシブルコンテナバッグ（以下、「フレコン」ともいう。）１の構成を図面に基づいて説明する。
図１は、本発明の一実施形態に係るフレキシブルコンテナバッグを正面上方から視た図である。
【００１５】
フレコン１は、土砂や粉塵等の粉末や粒状物の荷物を保管・運搬するための袋状の包材であり、ポリエチレンやポリプロピレン等の化学繊維で織られたシートにより形成されており、液体と固体とを混在した状態で収容可能である。フレコン１は、袋体１０と、ベルト２０と、フィルタ３０と、を備える。
【００１６】
袋体１０は、上方が開放された袋状体に形成され、略円形状の底１１と、底１１の側縁から上方に立設する側面１２と、を備える。なお、本実施形態において、袋体１０は、上方が開放された円筒形状に形成されているが、これに限らず、上方が開放された四角柱形状としてもよい。
【００１７】
側面１２には、袋体の外周に沿って、所定方向（図１に示す例では、上下方向）に長辺１２１ａが延びる長方形形状の貫通孔である開口部１２１が形成されている。なお、開口部１２１は、長方形形状に限らず、所定方向に長手方向が延びる形状であれば、例えば、楕円形状等であってもよい。
【００１８】
ベルト２０は、底１１を横断し、側面１２に沿って垂直方向に延び、側面１２の上端から突出し、環形状を形成し、再び、側面１２の上端から垂直方向に延び、底１１を横断するように、袋体１０に固定されている。ベルト２０は、このように袋体１０に固定されることで、一対の環形状を形成する。フレコン１は、この一対の環形状が、例えば、重機に支持され、持ち上げられることで、吊り下げたり、移動させたりすることが可能となる。
【００１９】
フィルタ３０は、袋体１０の開口部１２１を塞ぎ、透水性を有する。詳細には、フィルタ３０は、開口部１２１の側縁より大きく形成され、袋体１０の内部側から開口部１２１を覆うように配置され、開口部１２１の周縁において側面１２に固定されている。
【００２０】
フィルタ３０は、例えば、耐水性、耐候性、耐腐食性を有する化学合成繊維を不規則に配列して繊維層を形成しニードルパンチで繊維を交絡、結合した河川護岸の吸い出し防止シート等で形成されている。
【００２１】
フィルタ３０は、
密度が、０．１２ｇ／ｃｍ３以上０．２ｇ／ｃｍ３以下であり、
引張強さが、１００Ｎ／ｃｍ２以上１５０Ｎ／ｃｍ２以下であり、
伸び率が、５０％以上７０％以下であり、
耐薬品性が、９０％以上９５％以下であり、
透水係数が、０．０１ｃｍ／ｓｅｃ以上０．０５ｃｍ／ｓｅｃ以下であることが好ましい。
【００２２】
このようなシートでフィルタ３０を構成することで、フィルタ３０は、引張強さと伸び率が比較的大きくなり、重量物による荷重がかかっても容易に破断せず、弾性・柔軟性があるので、突起物などの衝撃に対しても簡単に破損せず、耐候性、耐薬品性、耐腐食性に優れているので長期間使用でき、透水性に優れるので、排水効果、液体と固体との分離効果に優れる。
【００２３】
図２は、本発明の一実施形態の変形例に係るフレキシブルコンテナバッグを正面上方から視た図である。
図１に示す本実施形態のフレコン１と、図２に示す本実施形態の変形例のフレコン１Ａとは、開口部１２１が延びる方向が異なる。
フレコン１Ａの開口部１２１は、所定方向（図２に示す例では、左右方向）に長辺１２１ａが延びる長方形形状の貫通孔である。
【００２４】
なお、開口部１２１は、図１及び図２に示す形状に限らす、例えば、図１（上下方向に延びる形状）及び図２（左右方向に延びる形状）に示す形状を合わせた略十字形状や、斜め方向に延びる形状等の任意の形状とすることができる。
【００２５】
次に、フレコン１の作用について説明する。
図３は、本発明の一実施形態に係るフレキシブルコンテナバッグの使用状態を示す断面図である。
フレコン１を吊り下げ、袋体１０の内部に、液体Ｗと固体とを混在した状態の物（例えば、コンクリートカッターによりコンクリートを削った時に発生するコンクリートの粉塵と、コンクリートカッターの冷却水が混在した物）を収容する。
すると、混在した状態で袋体内に入れられた液体Ｗと固体とは、順次、液体Ｗが、開口部１２１を覆うフィルタ３０を通過して、袋体１０の外部に排出され、固体が袋体１０内に貯留される。
【００２６】
図４は、本発明の一実施形態の変形例に係るフレキシブルコンテナバッグの使用状態を示す断面図である。
フレコン１Ａを吊り下げ、袋体１０の内部に、液体Ｗと固体とを混在した状態の物（例えば、コンクリートカッターによりコンクリートを削った時に発生するコンクリートの粉塵と、コンクリートカッターの冷却水が混在した物）を収容する。
すると、混在した状態で袋体内に入れられた液体Ｗと固体とは、固体が沈殿し、液体Ｗが固体の上方に溜まり、開口部１２１が形成された位置の下端まで固体が貯留され、この固体の上方に溜まった液体Ｗが開口部１２１を塞ぐフィルタ３０を介して袋体１０の外部に排出され、固体が袋体１０内に貯留される。
【００２７】
なお、本発明は前記実施形態に限定されるものではなく、本発明の目的を達成できる範囲での変形、改良等は本発明に含まれるものである。
【符号の説明】
【００２８】
１，１Ａ  フレキシブルコンテナバッグ（フレコン）
１０  袋体
１１  底
１２  側面
２０  ベルト
３０  フィルタ
１２１  開口部
１２１ａ  長辺
Ｗ  液体
【図１】
2020111384.tif 000003
【図２】
2020111384.tif 000004
【図３】
2020111384.tif 000005
【図４】
2020111384.tif 000006
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
液体と固体とを混在した状態で収容可能であり、側面に開口部が形成された袋体と、
前記袋体の前記開口部を塞ぎ、透水性を有するフィルタと、を備え、
前記開口部は、前記袋体の外周に沿って、所定方向に延びる形状に形成され、
前記フィルタは、前記開口部の周縁において前記側面に固定されていることを特徴とするフレキシブルコンテナバッグ。
【請求項２】
前記フィルタは、
引張強さが、１００Ｎ／ｃｍ２以上１５０Ｎ／ｃｍ２以下であり、
伸び率が、５０％以上７０％以下であり、
透水係数が、０．０１ｃｍ／ｓｅｃ以上０．０５ｃｍ／ｓｅｃ以下であることを特徴とする請求項１に記載のフレキシブルコンテナバッグ。
【手続補正２】
【補正対象書類名】明細書
【補正対象項目名】０００７
【補正方法】変更
【補正の内容】
【０００７】
（１）  液体と固体とを混在した状態で収容可能であり、側面に開口部が形成された袋体と、
前記袋体の前記開口部を塞ぎ、透水性を有するフィルタと、を備え、
前記開口部は、前記袋体の外周に沿って、所定方向に延びる形状に形成され、
前記フィルタは、前記開口部の周縁において前記側面に固定されていることを特徴とするフレキシブルコンテナバッグ。